(57)【特許請求の範囲】
【請求項１】
先端部が縮径するチタンによる金属棒状体のつぼ押し具本体内部に上下方向に空洞部を形成し、先端部である空洞部開口に円形のボタン状のチタンによる金属蓋体を設け、蓋体の外周にパッキンとして非通電部材を配設し、上端部である空洞部開口をダイヤモンド等の宝石である集光機能を有する透明体で閉塞するとともに、その下方に太陽電池を設け、太陽電池の一方の電極をつぼ押し具本体に接続し、太陽電池の他方の電極を蓋体に接続したことを特徴とするつぼ押し具。
【発明の詳細な説明】
【技術分野】
【０００１】
本発明は、健康のために、人体の、いわゆるつぼを刺激して血行を促すためのつぼ押し具に関するものである。
【背景技術】
【０００２】
従来、健康器具において、人体のつぼを押すためのつぼ押し具は、多種多様な形態や材料をもって構成されてきた。それらには、例えば、器具の上に乗って体重をかけてその荷重によりつぼを押すもの、手に持って手の力で押圧することによりつぼを押すハンディータイプのものなどがある。
【０００３】
このつぼを押すハンディータイプのものは、木製の棒材の両先端部を尖鋭的に加工したものが用いられ、中間部たる柄部を把持して、人体の所望の位置（つぼ）に先端部を押し着け押圧したり、先端部を断続的に打圧したりすることにより、つぼを刺激するというものである。
【０００４】
下記特許文献は、磁力線を照射するとともに体内の過剰な静電気にも効果的に作用するつぼ押し具として提案されたもので、図５に示すように、つぼ押し具１は金属製の棒状体の表面に金鍍金を施したつぼ押し具本体２からなり、つぼ押し具本体２の柄部３は、一方が他方より次第に拡径して形成されている。
【特許文献１】実用新案登録第３０２０７０６号公報
【０００５】
一方の先端部４及び他方の先端部５は夫々径の相違する半球面状に突出して形成され、この半球面状の先端部４，５の頂部には、円形のボタン状の磁石６，６が該頂部からわずかに突出して嵌め込まれている。
【０００６】
つぼ押し具１は、棒状のつぼ押し具本体２を金属により形成しているので、つぼ押し具１自体が適度な重量を有するためつぼの押圧効果が高い一方、つぼ押し具１を水などで洗浄することができる。
【０００７】
また、つぼ押し具本体２は一方が他方より次第に拡径して形成されているので、手で把持した際に握りやすく、取扱い性が良好であり、しかも一方の先端部４及び他方の先端部５は夫々径の相違する半球面状に突出しているので、先端部４，５が大小２種類の半球面状となるため、つぼの部位に応じて当接させる先端部４，５を大小に使い分けることができる。
【０００８】
さらに、この先端部４，５に磁石６，６が設けられているので、磁力線の働きにより、効果的につぼを刺激することができる。特に前記磁石６，６が前記先端よりやや突出して設けられているので、つぼを押圧する面積が小さく、かつ実質的に磁石６，６のみでつぼを押圧することになるので、つぼを一層効果的に刺激することができる。
【０００９】
さらに、前記つぼ押し具本体２が、銅に金鍍金を施したものからなるので、金の有する良好な電気伝導性などにより、つぼを押圧するとともに人体内の過剰な静電気を除去するという効果も奏するので、肩こりなどにも効果的である。また、金は防菌性に優れているので、衛生性にも一層優れたものとなっている。
【００１０】
つぼ押し具本体２の柄部３の外周面に周方向の溝７が複数本形成されているので、つぼ押し具１を柄部３のいずれの箇所でも把持しやすくなっている。
【発明の概要】
【発明が解決しようとする課題】
【００１１】
前記特許文献１のつぼ押し具は、重厚感に欠け、しかも、磁力線の働きにより、効果的につぼを刺激するというものの、その効果はさほど期待されたものでない。
【００１２】
本発明の目的は前記従来例の不都合を解消し、簡単且つコンパクトな構成により容易に携帯することができ、豪華で見栄えも良く、人体の広範囲に−の電圧を多くかけることにより電位治療のような健康増進の効果も得られるつぼ押し具を提供するものである。
【課題を解決するための手段】
【００１３】
前記目的を達成するため請求項１記載の本発明は、先端部が縮径するチタンによる金属棒状体のつぼ押し具本体内部に上下方向に空洞部を形成し、先端部である空洞部開口に円形のボタン状のチタンによる金属蓋体を設け、蓋体の外周にパッキンとして非通電部材を配設し、上端部である空洞部開口をダイヤモンド等の宝石である集光機能を有する透明体で閉塞するとともに、その下方に太陽電池を設け、太陽電池の一方の電極をつぼ押し具本体に接続し、太陽電池の他方の電極を蓋体に接続したことを要旨とするものである。
【００１４】
請求項１記載の本発明によれば、太陽電池からの電流は、太陽電池＋極→つぼ押し具本体→人体→金属蓋体→太陽電池−極ということで確保され、つぼ押し具本体全体が＋電極となり、人体の広範囲に電圧をかけて電気を流すことができ、電位治療のような健康増進効果を得ることができる。
【００１５】
また、太陽電池からの−電極の電流は蓋体のみに流れ、電極端子間が導電性の連続体によって直結されないようにしたから、電気が導電性連続体のみに流れて電力が消費されることがない。すなわち、導電性連続体が環状に形成されていても、蓋の存在により電位差が保持され、この電位差によって人体に電圧を加えることができる。
【００１６】
また、太陽電池を電源として用いるようにしたから、つぼ押し具が大型化せず、軽量で携帯に適したものとすることができ、太陽電池は電池交換の必要も無い上、常に起電力が得られ、使用者の人体に電圧を印加することができる。
【００１７】
さらに、上端部開口を閉塞する透明体は集光機能を有する、いわゆるレンズであることにより太陽電池に光を集中させ、効率的に発電をさせることができる。
【００１８】
また、金属棒状体および蓋体はチタンによることで、人体に優しいものとすることができ、また、高級感、豪華さを確保することができる。
【００１９】
これに加えて、ダイヤモンド等の宝石を設けることでアクセサリー化して視覚的に楽しむためのものとなり、豪華な印象を与え、また、視覚で捕らえられる状況では必ず光が存在するから、その光によって太陽電池が発電するので、使用者は電力供給について、心配する必要が無い。
【発明の効果】
【００２０】
以上述べたように本発明のつぼ押し具は、簡単且つコンパクトな構成により容易に携帯することができ、豪華で見栄えも良く、人体に電圧をかけることにより電位治療のような健康増進の効果も得られるものである。
【発明を実施するための形態】
【００２１】
以下、図面について本発明の実施の形態を詳細に説明する。図１は本発明のつぼ押し具の１実施形態を示す縦断正面図、図２は同上正面図、図３は同上平面図、図４は同上底面図で、つぼ押し具１０は先端部１１が縮径する金属棒状体のつぼ押し具本体１２の内部に上下方向に空洞部１３を形成した。
【００２２】
つぼ押し具本体１２を構成する金属としてはチタンであり、本実施形態ではＪＩＳ規格でのチタンは純チタンを使用したが、これをチタン合金に代えることもできる。
【００２３】
純チタンは、金属の中で最も人に対して優しい金属といわれ、人体に親和性の高くメタルアレルギー抑制効果がある。
【００２４】
前記空洞部１３は上下に貫通する孔として形成したが、これに限定されるものではなく、隔壁等で分断されたものでもよい。
【００２５】
空洞部１３は下部では下端に開口するが、先端部１１である空洞部１３の開口に円形のボタン状の金属蓋体１４を設け、蓋体１４の外周にパッキンとして非通電部材１５を配設した。
【００２６】
金属蓋体１４もつぼ押し具本体１２と同じくチタンであり、該非通電部材１５によりつぼ押し具本体１２と金属蓋体１４とは電気的に絶縁されて係合する。
【００２７】
空洞部１３は上部はつぼ押し具本体１２の上端に開口するが、上端部である空洞部１３の開口を透明体２０で閉塞するとともに、その下方に太陽電池１６を設けた。
【００２８】
図示は省略するが、太陽電池１６は空洞部１３に水平な仕切りを設け、この仕切り板上に防振ゴムを介在させて、貼り付けるようにして設けてもよい。
【００２９】
前記空洞部１３に内蔵する太陽電池１６は、プラスチックフィルム基板上に形成したａ−Ｓｉ太陽電池を保護フィルムによりカバーした状態で、厚みを約０．４ｍｍと薄型に形成したもので、質量も数グラムから数十グラム程度の軽量にできる。
【００３０】
太陽電池１６の正電極（＋電極）１６ａからの直線状の導電線１７を空洞部１３の内側に接続して太陽電池１６の＋電極をつぼ押し具本体１２に接続し、負電極（−電極）１６ｂからの導電線１８を金属蓋体１４接続することで、太陽電池１６の−電極を金属蓋体１４に接続した。導電線１７および導電線１８は空洞部１３を通すことができる。
【００３１】
また、空洞部１３の前記金属蓋体１４を嵌める側とは反対側、すなわち、上端部である空洞部１３の開口を閉塞する集光機能を有する透明体２０にはダイヤモンド等の透明または半透明な宝石を用いて嵌め込むものとする。
【００３２】
透明または半透明な宝石は空洞部１３上面開口のカシメ１９により固定する。
【００３３】
次にこのように構成するつぼ押し具の使用方法について説明すると、透明体２０を上側に向けた状態で、つぼ押しを行う。
【００３４】
つぼ押し具本体１２の先端と金属蓋体１４は使用者の肌に触れる。
【００３５】
空洞部１３内の太陽電池１６は、透明または半透明な宝石である透明体２０を介して射し込む光によって発電する。なお、ａ−Ｓｉ太陽電池は自然光や人工光など光があれば発電でき、また、直射光のみならず拡散光でも発電できる上、発電可能な波長の領域は可視光線の波長の領域とほぼ同じ約４００ｎｍから７００ｎｍまでであるから、本発明のつぼ押し具を使用する状態視覚的に楽しむことができる環境下では、発電が可能である。
【００３６】
太陽電池１６からの電流は、太陽電池＋電極１６ａ→つぼ押し具本体１２→人体→金属蓋体１４→太陽電池−電極１６ｂということで流れが確保される。
【００３７】
このようにして、太陽電池１６の発電により生じた電圧は、正電極（＋電極）１６ａからは＋電圧がつぼ押し具本体１２に印加され、負電極(−電極)１６ｂからは−電圧が金属蓋体１４を介して人体に印加され、人体の広範囲に電圧を印加し、電気を流すことができる。
【００３８】
また、つぼ押し具本体１２と金属蓋体１４を絶縁することにより、電池の電極が直結されて電力がそこで消費されてしまうのを防ぎ、電圧を有効に人体に加えることができる。
【図面の簡単な説明】
【００３９】
【図１】本発明のつぼ押し具の１実施形態を示す縦断正面図である。
【図２】本発明のつぼ押し具の１実施形態を示す正面図である。
【図３】本発明のつぼ押し具の１実施形態を示す平面図である。
【図４】本発明のつぼ押し具の１実施形態を示す底面図である。
【図５】従来例を示す斜視図である。
【符号の説明】
【００４０】
１…つぼ押し具              ２…つぼ押し具本体
３…柄部                    ４、５…先端部
６…磁石                    ７…溝
１０…つぼ押し具            １１…先端部
１２…つぼ押し具本体        １３…空洞部
１４…金属蓋体              １５…非通電部材
１６…太陽電池
１６ａ…正電極（＋電極）    １６ｂ…負電極(−電極)
１７、１８…導電線          １９…カシメ
２０…透明体
【図１】
0005927258.tif 000002
【図２】
0005927258.tif 000003
【図３】
0005927258.tif 000004
【図４】
0005927258.tif 000005
【図５】
0005927258.tif 000006